(57)【要約】【課題】生活者にとっては剥離シートを剥がしやすく、受取側にとっては開封作業を行いやすい保護ラベル付きシート体を提供する。【解決手段】保護ラベル付きシート体１０は、個人情報保護ラベル付きはがきであって、折りミシン目ｍｃ１をはさんで配置された第１及び第２の領域１１−１、１１−２を有する基材１１と、第１の領域１１−１上に設けられ、必要事項を記入するための個人情報記入欄１２と、第２の領域１１−２上に配置され、透明紙１４、粘着剤１５及び剥離紙１６が順に積層された保護ラベル１３と、第２の領域１１−２と透明紙１４とを、周縁部以外の略全面で再剥離可能に擬似接着する擬似接着層１７と、第２の領域１１−２と透明紙１４とを、全周縁部で強接着する強接着部１８と、第２の領域１１−２の強接着部１８よりも内側に設けられた開封用のカット線１９などとを備える。【選択図】図１
2006231831.tif 000002
【特許請求の範囲】
【請求項１】
折り線をはさんで配置された第１及び第２の領域を有する基材と、
前記第１の領域上に設けられた秘匿情報欄と、
前記第２の領域上に配置され、透明性基材、粘着剤層及び剥離シートが順に積層された保護ラベル部と、
前記第２の領域と前記透明性基材とを、少なくとも一部で擬似接着する擬似接着層と、
前記第２の領域と前記透明性基材とを、周縁部の一部又は全部で強接着する強接着部と、
前記第２の領域であって、前記強接着部よりも内側に設けられた開封予定線と、
を備える保護ラベル付きシート体。
【請求項２】
請求項１に記載の保護ラベル付きシート体において、
前記強接着部は、前記剥離シートの少なくとも１つの角部に対応する位置に設けられていること、
を特徴とする保護ラベル付きシート体。
【請求項３】
請求項１又は請求項２に記載の保護ラベル付きシート体において、
前記開封予定線は、環状又は環状の一部の形状であること、
を特徴とする保護ラベル付きシート体。
【請求項４】
請求項１又は請求項２に記載の保護ラベル付きシート体において、
前記開封予定線は、前記第２の領域を略２等分する位置に設けられていること、
を特徴とする保護ラベル付きシート体。
【発明の詳細な説明】
【技術分野】
【０００１】
本発明は、個人情報記入欄を有するはがきなどに好適に利用できる保護ラベル付きシート体に関するものである。
【背景技術】
【０００２】
従来、透明紙や透明フィルムを活用した隠蔽ラベルが実用化されている（例えば、特許文献１）。
【特許文献１】特開２００４−１０２１８８号公報
【発明の開示】
【発明が解決しようとする課題】
【０００３】
図４は、一般的な個人情報保護ラベル付きはがきを示す図である。
個人情報保護ラベル付きはがき１００は、はがきの２倍サイズの基材１１と、基材１１の第１の領域１１−１に設けられた個人情報記入欄１２と、基材１１の第２の領域１１−２に設けられた保護ラベル１３とを備え、保護ラベル１３の左下の角部から剥離紙１６を剥がし、折りミシン目ｍｃ１で２つ折りして個人情報記入欄１２を隠蔽する、といった使い方が一般的である。
この場合、剥離紙１６の左下の角部の近傍に、『ここから開封してください』といった注意文言を明記し、確実にこの部分から開封させる方法を採用している。そして、この部分から確実に剥離紙１６を掴んで開封できるように、粘着剤１５の糊抜きと強接着部１８とを組み合わせている（図中Ａ部分）。
【０００４】
しかし、生活者は、これら注意文言を読まない場合も多く、他の角部から剥離紙１６を剥がそうとして、本来剥がすべき『剥離紙１６』ではなく、『透明紙１４』から剥がしてしまい、記入内容を隠蔽できない、といった可能性がある。
そのため、図で言えば、（１）の位置に限定していた強接着部は、これらの可能性を排除するために、（２）や（３）（４）の位置まで拡大しなければならない。
【０００５】
この全角部への強接着部形成は、一定の改善効果が認められ、はがき隠蔽時に透明紙１４を剥がしてしまうことはなくなるが、一方で、はがきの受取側（多くの場合は申込を受ける業者）での事務作業が行いにくくなる恐れがある。
【０００６】
というのも、強接着部を（１）（２）の位置とした場合には、２つ折りした内側に、強接着部が位置するため、開封作業の最後の部分だけが強接着となり、それ程問題はないが、強接着部を（３）（４）の位置とした場合には、隠蔽後の外側（剥離開始側）に強接着部が位置するため、開封作業そのものが難しくなってしまう。
つまり、（１）（２）（３）（４）の全角部に強接着部を設けた場合には、（３）（４）の間から開封し、内側から外側に開けるような方法で開封することになり、やや作業性が悪化することになる。
また、全角部に強接着部を設けても、（１）と（２）の間、（２）と（３）の間などといったように、意図せぬ開封は皆無ではないため、本来的には、全角部でも決して十分ではない。
【０００７】
本発明の課題は、生活者にとっては剥離シートを剥がしやすく、受取側にとっては開封作業を行いやすい保護ラベル付きシート体を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、折り線（ｍｃ１）をはさんで配置された第１及び第２の領域（１１−１、１１−２）を有する基材（１１）と、前記第１の領域（１１−１）上に設けられた秘匿情報欄（１２）と、前記第２の領域（１１−２）上に配置され、透明性基材（１４）、粘着剤層（１５）及び剥離シート（１６）が順に積層された保護ラベル部（１３）と、前記第２の領域（１１−２）と前記透明性基材（１４）とを、少なくとも一部で擬似接着する擬似接着層（１７）と、前記第２の領域（１１−２）と前記透明性基材（１４）とを、周縁部の一部又は全部で強接着する強接着部（１８）と、前記第２の領域（１１−２）であって、前記強接着部（１８）よりも内側に設けられた開封予定線（１９）と、を備える保護ラベル付きシート体である。
請求項２の発明は、請求項１に記載の保護ラベル付きシート体において、前記強接着部（１８）は、前記剥離シート（１６）の少なくとも１つの角部に対応する位置に設けられていること、を特徴とする保護ラベル付きシート体である。
請求項３の発明は、請求項１又は請求項２に記載の保護ラベル付きシート体において、前記開封予定線（１９）は、環状又は環状の一部の形状であること、を特徴とする保護ラベル付きシート体である。
請求項４の発明は、請求項１又は請求項２に記載の保護ラベル付きシート体において、前記開封予定線（ｍｃ２）は、前記第２の領域（１１−２）を略２等分する位置に設けられていること、を特徴とする保護ラベル付きシート体である。
【発明の効果】
【０００９】
本発明によれば、基材と透明性基材とを、周縁部の一部又は全部で強接着しているので、剥離シートを剥がしたときには、基材から透明性基材が不用意に剥がれることがなく、生活者にとっては剥離シートを剥がしやすい。
また、強接着部よりも内側に、開封予定線を設けたので、開封時には、強接着部を無理やり剥がす必要はなく、受取側にとっては開封作業を行いやすい。
【発明を実施するための最良の形態】
【００１０】
本発明は、生活者にとっては剥離シートを剥がしやすく、受取側にとっては開封作業を行いやすい保護ラベル付きシート体を提供するという目的を、基材と透明紙とを全周縁部で強接着し、その強接着部よりも内側に開封用のカット線を設けることにより実現する。
【実施例１】
【００１１】
以下、図面等を参照して、本発明の実施例について、さらに詳しく説明する。
図１は、本発明による保護ラベル付きシート体の実施例１を示す図であって、図１（Ａ）は、平面図であり、図１（Ｂ）は、Ｂ−Ｂ断面図であり、図１（Ｃ）は、使用方法を示す図である。
実施例１の保護ラベル付きシート体１０は、個人情報保護ラベル付きはがきであって、基材１１と、保護ラベル（保護ラベル部）１３と、擬似接着層１７と、強接着部１８と、カット線（開封予定線）１９などとを備える。
【００１２】
基材１１は、はがきの２倍サイズであって、折りミシン目（折り線）ｍｃ１をはさんで配置された第１及び第２の領域１１−１、１１−２を有するものであり、第１の領域１１−１上には、必要事項を記入するための個人情報記入欄（秘匿情報欄）１２が設けられている。
【００１３】
保護ラベル１３は、第２の領域１１−２上に配置され、透明紙（透明性基材）１４、粘着剤（粘着剤層）１５及び剥離紙（剥離シート）１６が順に積層されたものである。
【００１４】
擬似接着層１７は、第２の領域１１−２と透明紙１４とを、周縁部以外の略全面で再剥離可能に擬似接着するものであり、例えば、接着剤層／剥離層で構成された層などである。
【００１５】
強接着部１８は、第２の領域１１−２と透明紙１４とを、全周縁部で強接着するものでる。したがって、剥離紙１６の全角部の下層には、強接着部１８が存在している。
【００１６】
カット線１９は、第２の領域１１−２の強接着部１８よりも内側に設けられた開封用の切り込み線であり、平面的には、角を丸く処理した略矩形（環状）の形状で切り込まれ、層構成的には、基材１１の裏面から透明紙１４を貫通しないように切り込まれている。
【００１７】
次に、実施例１による保護ラベル付きシート体１０の使用方法について説明する。
まず、個人情報記入欄１２に必要事項を記入する。
ついで、剥離紙１６を剥がして、粘着剤１５を表出させる。
さらに、図１（Ｃ）に示すように、この保護ラベル付きシート体１０を折りミシン目ｍｃ１で２つ折りし、表出させた粘着剤１５を個人情報記入欄１２に粘着させる。
そして、この状態で、ポストに投函する。
受取側では、カット線１９を用いて、その内側の部分を剥がして開封し、透明紙１４で覆われた個人情報記入欄１２を確認する。
【００１８】
このように、実施例１によれば、基材１１と透明紙１４とを、全周縁部で強接着しているので、いずれの方向から剥離紙１６を剥がしても、基材１１から透明紙１４が剥がれず、生活者にとっては剥離紙１６を剥がしやすい。
また、強接着部１８よりも内側に、開封用のカット線１９を設けたので、開封時には、強接着部１８を無理やり剥がす必要はなく、受取側にとっては開封作業を行いやすい。
さらに、カット線１９は、角を丸くした略矩形の形状としたので、どこからでも簡単に開封できる。
【実施例２】
【００１９】
図２は、本発明による保護ラベル付きシート体の実施例２を示す図である。
なお、前述した実施例１と同様な機能を果たす部分には、同一の符号又は末尾に統一した符号を付して、重複する説明や図面を適宜省略する。
実施例２の保護ラベル付きシート体１０Ａは、基材１１と透明紙１４とを、全周縁部で強接着しているものではなく、左右の両端部で強接着しているものである。
また、開封予定線をカット線１９からマイクロミシン目ｍｃ２に変更し、そのマイクロミシン目ｍｃ２は、第２の領域１１−２の強接着部１８よりも内側の天辺から地辺までに設けられている。
【００２０】
このように、実施例２によれば、全周縁部ではなく、左右の両端部分を強接着し、開封予定線をマイクロミシン目ｍｃ２としたので、マイクロミシン目ｍｃ２を折り曲げて、割るように開封でき、また、左右どちらからでも簡単に開封できる。
【実施例３】
【００２１】
図３は、本発明による保護ラベル付きシート体の実施例３を示す図である。
実施例３の保護ラベル付きシート体１０Ｂは、実施例２のものと近いタイプであるが、２つあったマイクロミシン目ｍｃ２が１つになり、その位置は、第２の領域１１−２を略２等分するように、第２の領域１１−２の略中央の天辺から地辺までに設けられている。
【００２２】
このように、実施例３によれば、マイクロミシン目ｍｃ２を折り曲げて割った後に、左右に開封することができる。
また、見開き状態で、個人情報記入欄１２を確認することができ、確認後には、見開いた第２の領域１１−２を元に戻して、個人情報記入欄１２を隠蔽しながら保管しておくこともできる。
【００２３】
（変形例）
以上説明した実施例に限定されることなく、種々の変形や変更が可能であって、それらも本発明の均等の範囲内である。
（１）開封予定線は、カット線１９やマイクロミシン目ｍｃ２の例で説明したが、通常のミシン目であってもよい。
（２）実施例１で、カット線１９は、環状の一例として、角を丸くした略矩形の形状の例で説明したが、矩形など他の形状であってもよく、また、環状の一部の形状（例えば、矩形や略矩形の形状の一辺にはカット線もミシン目もないような形状）として、めくり上げて開封できるようにしてもよい。
【図面の簡単な説明】
【００２４】
【図１】本発明による保護ラベル付きシート体の実施例１を示す図である。
【図２】本発明による保護ラベル付きシート体の実施例２を示す図である。
【図３】本発明による保護ラベル付きシート体の実施例３を示す図である。
【図４】一般的な個人情報保護ラベル付きはがきを示す図である。
【符号の説明】
【００２５】
１０、１０Ａ、１０Ｂ  保護ラベル付きシート体
１１  基材
１２  個人情報記入欄（秘匿情報欄）
１３  保護ラベル（保護ラベル部）
１４  透明紙（透明性基材）
１５  粘着剤（粘着剤層）
１６  剥離紙（剥離シート）
１７  擬似接着層
１８  強接着部
１９  カット線（開封予定線）
１００  個人情報保護ラベル付きはがき
ｍｃ１  折りミシン目（折り線）
ｍｃ２  マイクロミシン目（開封予定線）
【図１】
2006231831.tif 000003
【図２】
2006231831.tif 000004
【図３】
2006231831.tif 000005
【図４】
2006231831.tif 000006